【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
複数色の色材から成る第１の色材群を色材ごとに設定された使用量使用して印刷したパターンを予め測色することで取得した色値と、前記第１の色材群の色材ごとに設定された使用量と、のセットを、該第１の色材群の色材ごとに設定可能な使用量の組み合わせ毎に保持する第１の保持手段と、
前記複数の色材の何れよりも赤外線吸収率が高い色材を含む第２の色材群を色材ごとに設定された使用量使用して印刷したパターンを予め測色することで取得した色値と、前記第２の色材群の色材ごとに設定された使用量と、のセットを、該第２の色材群の色材ごとに設定可能な使用量の組み合わせ毎に保持する第２の保持手段と、
前記第２の色材群に含まれる何れの色材よりも明度が高く且つ前記複数の色材の何れよりも赤外線吸収率が高い色材と、前記複数の色材の何れよりも赤外線吸収率が高い色材と、を含む第３の色材群を色材ごとに設定された使用量使用して印刷したパターンを予め測色することで取得した色値と、前記第３の色材群の色材ごとに設定された使用量と、のセットを、該第３の色材群の色材ごとに設定可能な使用量の組み合わせ毎に保持する第３の保持手段と、
予め設定された画素値群から１つの画素値を選択画素値として選択する手段と、
前記第１の保持手段が保持する色値群のうち、該色値群が属する色空間において、前記選択画素値の色値との差が規定範囲内にある色値を特定し、該特定した色値とセットになって前記第１の保持手段が保持している使用量を特定し、該特定した使用量から補間により、前記選択画素値を有する画素を前記第１の色材群を用いて印刷する場合のそれぞれの色材の使用量、を計算する第１の計算手段と、
前記第２の保持手段が保持する色値群のうち、該色値群が属する色空間において、前記選択画素値の色値との差が規定範囲内にある色値を特定し、該特定した色値とセットになって前記第２の保持手段が保持している使用量を特定し、該特定した使用量から補間により、前記選択画素値を有する画素を前記第２の色材群を用いて印刷する場合のそれぞれの色材の使用量、を計算する第２の計算手段と、
前記第３の保持手段が保持する色値群のうち、該色値群が属する色空間において、前記選択画素値の色値との差が規定範囲内にある色値を特定し、該特定した色値とセットになって前記第３の保持手段が保持している使用量を特定し、該特定した使用量から補間により、前記選択画素値を有する画素を前記第３の色材群を用いて印刷する場合のそれぞれの色材の使用量、を計算する第３の計算手段と、
前記選択画素値が表す明度が閾値以上であれば、前記第１の計算手段が計算した前記第１の色材群のそれぞれの使用量、前記第３の計算手段が計算した前記第３の色材群のそれぞれの使用量、を前記選択画素値と対応付けてメモリに格納し、
前記選択画素値が表す明度が前記閾値よりも小さい場合は、前記第１の計算手段が計算した前記第１の色材群のそれぞれの使用量、前記第２の計算手段が計算した前記第２の色材群のそれぞれの使用量、を前記選択画素値と対応付けてメモリに格納する格納手段と
を備えることを特徴とする画像処理装置。
【請求項２】
前記格納手段は、
前記選択画素値が表す明度が前記閾値以上、且つ前記閾値よりも大きい閾値いかであれば、前記第３の計算手段が計算した前記第３の色材群のそれぞれの使用量を前記メモリに格納する前に、該第３の色材群のそれぞれの使用量のうち、前記第２の色材群に含まれる何れの色材よりも明度が高く且つ前記複数の色材の何れよりも赤外線吸収率が高い色材の使用量を規定量へらすことを特徴とする請求項１に記載の画像処理装置。
【請求項３】
前記補間は四面体補間であることを特徴とする請求項１又は２に記載の画像処理装置。
【請求項４】
複数色の色材から成る第１の色材群を色材ごとに設定された使用量使用して印刷したパターンを予め測色することで取得した色値と、前記第１の色材群の色材ごとに設定された使用量と、のセットを、該第１の色材群の色材ごとに設定可能な使用量の組み合わせ毎に保持する第１の保持手段と、
前記複数の色材の何れよりも赤外線吸収率が高い色材を含む第２の色材群を色材ごとに設定された使用量使用して印刷したパターンを予め測色することで取得した色値と、前記第２の色材群の色材ごとに設定された使用量と、のセットを、該第２の色材群の色材ごとに設定可能な使用量の組み合わせ毎に保持する第２の保持手段と、
前記第２の色材群に含まれる何れの色材よりも明度が高く且つ前記複数の色材の何れよりも赤外線吸収率が高い色材と、前記複数の色材の何れよりも赤外線吸収率が高い色材と、を含む第３の色材群を色材ごとに設定された使用量使用して印刷したパターンを予め測色することで取得した色値と、前記第３の色材群の色材ごとに設定された使用量と、のセットを、該第３の色材群の色材ごとに設定可能な使用量の組み合わせ毎に保持する第３の保持手段と
を有する画像処理装置が行う画像処理方法であって、
前記画像処理装置の選択手段が、予め設定された画素値群から１つの画素値を選択画素値として選択する工程と、
前記画像処理装置の第１の計算手段が、前記第１の保持手段が保持する色値群のうち、該色値群が属する色空間において、前記選択画素値の色値との差が規定範囲内にある色値を特定し、該特定した色値とセットになって前記第１の保持手段が保持している使用量を特定し、該特定した使用量から補間により、前記選択画素値を有する画素を前記第１の色材群を用いて印刷する場合のそれぞれの色材の使用量、を計算する第１の計算工程と、
前記画像処理装置の第２の計算手段が、前記第２の保持手段が保持する色値群のうち、該色値群が属する色空間において、前記選択画素値の色値との差が規定範囲内にある色値を特定し、該特定した色値とセットになって前記第２の保持手段が保持している使用量を特定し、該特定した使用量から補間により、前記選択画素値を有する画素を前記第２の色材群を用いて印刷する場合のそれぞれの色材の使用量、を計算する第２の計算工程と、
前記画像処理装置の第３の計算手段が、前記第３の保持手段が保持する色値群のうち、該色値群が属する色空間において、前記選択画素値の色値との差が規定範囲内にある色値を特定し、該特定した色値とセットになって前記第３の保持手段が保持している使用量を特定し、該特定した使用量から補間により、前記選択画素値を有する画素を前記第３の色材群を用いて印刷する場合のそれぞれの色材の使用量、を計算する第３の計算工程と、
前記画像処理装置の格納手段が、前記選択画素値が表す明度が閾値以上であれば、前記第１の計算工程で計算した前記第１の色材群のそれぞれの使用量、前記第３の計算工程で計算した前記第３の色材群のそれぞれの使用量、を前記選択画素値と対応付けてメモリに格納し、
前記選択画素値が表す明度が前記閾値よりも小さい場合は、前記第１の計算工程で計算した前記第１の色材群のそれぞれの使用量、前記第２の計算工程で計算した前記第２の色材群のそれぞれの使用量、を前記選択画素値と対応付けてメモリに格納する格納工程と
を備えることを特徴とする画像処理方法。
【請求項５】
コンピュータを、請求項１乃至３の何れか１項に記載の画像処理装置の各手段として機能させるためのコンピュータプログラム。
【請求項６】
請求項５に記載のコンピュータプログラムを格納した、コンピュータが読み取り可能な記憶媒体。
【請求項７】
記録色材を印刷媒体に付着させて印刷する印刷手段に、印刷画像データを出力する画像処理装置であって、
赤外吸収率が小さな色材の組み合わせによって構成される第１の色情報、及び赤外吸収率が大きく且つ通常光下で異なる色味を有する少なくとも２種類以上の色材の組み合わせによって構成される第２の色情報であって、通常光下での色差が予め設定された閾値以下となるような第１の色情報及び第２の色情報を保持する保持手段と、
２値の潜像画像データを生成する生成手段と、
前記生成手段で生成された前記潜像画像データの各画素の値に応じて、前記保持手段に保持された前記第１の色情報及び前記第２の色情報のいずれか一方を、当該画素での印刷データとして前記印刷手段に出力する出力手段とを有し、
前記第１の色情報に含まれる色材は、前記第２の色情報に含まれる色材のうち単一色材において最も明度が大きい色材よりも明度が大きな色材を含み、
前記第２の色情報は、通常光下での明度が閾値以上の場合は第１の色材の組み合わせ、閾値よりも小さい場合は第２の色材の組み合わせ、により構成されることを特徴とすることを特徴とする画像処理装置。